(57)【要約】【課題】積層材によってなる卒塔婆において、積層体であることを極力視認しにくいようにした卒塔婆を提供すること。【解決手段】本願に係る卒塔婆は、複数の面材が積層されて形成され該積層表面が突端を有するドーム形状の上端部及び該上端部に連接される板状の把持部を備える本体部と、前記本体部の両側に形成される前記把持部において五輪塔形状を画するために設けられ平面視凸曲線切込と凸曲線切込とによりもしくは凸曲線切込と直線切込とにより夫々構成される複数の切込部と、前記本体部の前記把持部の所定位置に亘って前記本体部の断面四隅に形成される積層顕在化防止部とを具備して構成される。【選択図】  図１
2015231519.tif 000002
【特許請求の範囲】
【請求項１】
複数の面材が積層されて形成され該積層表面が突端を有するドーム形状の上端部及び該上端部に連接される板状の把持部を備える本体部と、
前記本体部の両側に形成される前記把持部において五輪塔形状を画するために設けられ平面視凸曲線切込と凸曲線切込とによりもしくは凸曲線切込と直線切込とにより夫々構成される複数の切込部と、
前記本体部の前記把持部の所定位置に亘って前記本体部の断面四隅に形成される積層顕在化防止部と
を具備することを特徴とする卒塔婆。
【請求項２】
前記積層顕在化防止部と前記切込部のうちの平面視凸曲線切込との取合部分に略三角形的収束形状が形成されることを特徴とする請求項１記載の卒塔婆。
【請求項３】
前記積層顕在化防止部は前記本体部の前記積層表面と積層を構成する側面との間に面取りが施されたものであることを特徴とする請求項１もしくは２記載の卒塔婆。
【請求項４】
前記面取りは断面が、二屈折線型、凸曲線型、一屈折線付曲線型、多数屈折線付曲線型、窪み付凸曲線型、窪み付二屈折線型の少なくともいずれかの形状を有することを特徴とする請求項３記載の卒塔婆。
【発明の詳細な説明】
【技術分野】
【０００１】
本発明はたとえば卒塔婆に係り、特に集成材が積層されてなる卒塔婆に関する。
【背景技術】
【０００２】
墓所に忌日などに立てられる卒塔婆の素材には、従来より各種の木材が用いられている。代表的なものとしてはたとえばもみやつががある。近年、こういった素材は、我が国のみでなく世界的にも、人口増や環境変化等により、入手が困難になってきている。特に、卒塔婆に用いる材については、一般的に無垢材を用いることが多かったが、木材としての無垢材は、材料としての木材資源の枯渇化、材料費の高騰により、近年ますます無垢材の使用自体が困難になってきている。
【０００３】
この点を解決するために、複数の板材を積層し接着して擬似的に１枚の板材のようにして卒塔婆とすることが考えられる。
【０００４】
この場合において、積層材によって卒塔婆を製作するにしても、先祖を供養し死者に敬意を払うなどの理由から、少なくとも表面は従来から用いられてきたもみやつが等の伝統的素材を用いることが求められる場合がある。この場合には、積層の両表面をこれら伝統材にて形成し、それらの間に一もしくは複数の木材（たとえば比較的廉価な輸入材）によって形成することとなる。しかし、先祖への供養心の表象物たる卒塔婆の有する社会的位置から、積層している様が露骨であることが望ましくない場合がある。ばあいによっては、廉価を旨とする点が強調されることが、死者を弔い先祖に敬意を示すという精神にそぐわず、却って死者を冒涜する行為ともとられかねない。
【０００５】
しかし、一方で、無垢材の使用を極力減らすことは、貴重な木材資源の節約、環境保護の観点からは、極めて重要である。
【０００６】
こうした点に着眼する先行技術文献は今のところ、特許文献１を含め、存在しない。因みに、特許文献１は、山林資源を有効に利用することができる卒塔婆の実現を課題として着眼したうえ、杉花粉症対策として、あるいは、水害予防対策として大量に伐採され、伐採地にそのまま放置されていることが多い杉材を用いることとしたものである。
【先行技術文献】
【特許文献】
【０００７】
【特許文献１】特開２００６−２３９２０７号公報
【発明の概要】
【発明が解決しようとする課題】
【０００８】
本願はこうした従来技術上の問題点を解決することを企図したものであり、積層材によってなる卒塔婆において、積層体であることを極力視認しにくいようにした卒塔婆を提供することを目的とする。
【課題を解決するための手段】
【０００９】
かかる課題を解決するために、本願に係る卒塔婆は、複数の面材が積層されて形成され該積層表面が突端を有するドーム形状の上端部及び該上端部に連接される板状の把持部を備える本体部と、前記本体部の両側に形成される前記把持部において五輪塔形状を画するために設けられ平面視凸曲線切込と凸曲線切込とによりもしくは凸曲線切込と直線切込とにより夫々構成される複数の切込部と、前記本体部の前記把持部の所定位置に亘って前記本体部の断面四隅に形成される積層顕在化防止部とを具備して構成される。
【００１０】
上記の構成を備えることで、複数の切込部によっていわゆる五輪塔形状を形成して、「空」「風」「火」「水」「地」を形として表現することが可能となる。また、積層顕在化防止部を設けることで、積層材を構成する層のうちの最表面層の断面線が視認しにくいものとすることができる。
【００１１】
上記構成において、さらに、前記積層顕在化防止部と前記切込部のうちの平面視凸曲線切込との取合部分に略三角形的収束形状が形成されるようにしてもよい。この場合には、積層顕在化防止部と切込部のうちの平面視凸曲線切込との取合部分に略三角形的収束形状が形成されることで、独特の美観を醸し出すのみならず、これを把持する者が把持しやすい構造を提供することができる。
【００１２】
上記の積層顕在化防止部としては、上記本体部の積層表面と積層を構成する側面との間に面取りを施したものとすることができる。この面取りが施されることにより、面取り面が斜面を構成することから光の屈折により、積層最表面層の断面線が視認しにくいものとなる。また、面取りを設けることにより出現する小口は面取り部分以外の部分とは表面に形成される繊維方向・模様が異なるので、面取り部分に係る摩擦係数は面取り部分以外の部分に係る摩擦係数と異なるものになる。したがって、摩擦係数の異なる多面が形成されるため、利用者が把持するについて滑りにくさを提供することになる。この場合、更なる滑りにくさを担保すべく、面取り部分摩擦係数を更に増大させるような工夫を施しても良い。かかる工夫としては、たとえば、ざらつき感のある表面処理や摩擦係数の比較的高い塗装材の塗布などが採用できるが、これらに限られることはない。いずれにしても、本願に係る面取り部分を設けることで、摩擦係数の点からも滑りにくさを実現することができる。
【００１３】
さらに別側面として、この面取りが施されることにより、面取りが形成されない場合に生じる鋭角的屈折線が加工者もしくは（卒塔婆表面への）筆記者の手を傷つける可能性を減じることができる。
【００１４】
上記面取りとして、断面が、二屈折線型、凸曲線型、一屈折線付曲線型、多数屈折線付曲線型、窪み付凸曲線型、窪み付二屈折線型の少なくともいずれかの形状を有するものとしてもよい。これらの各々の形状によってそれぞれの独特の美観を構成することが可能となる。ここに挙げた形状は一例としての意味であり、一定の面取り効果（上述）の得られる形状であれば用いることができる。こうすることでさらに、利用者の手に対して一定の摩擦力を与えて滑りにくさを実現しつつ、把持する際の切り傷の発生等を容易に防止することができる。
【発明の効果】
【００１５】
本発明によれば、積層材によってなる卒塔婆に発生しうる、積層されていることを視認しにくくすることの可能な卒塔婆が実現される。また、本願によれば、卒塔婆を製作する際、或いは卒塔婆をずらしもって卒塔婆の表面に種々の文字を墨書きする際に、加工者もしくは筆記者が積層によって形成される出隅部によって裂傷を受ける可能性を減じることができ、さらに、加工／筆記等の作業のしやすさを提供することができる。また、かかる加工者／筆記者や卒塔婆の利用者の服装の汚れを防止することにもつながる。
【００１６】
さらには、副次的なものとして、積層顕在化防止部及び／もしくは略三角形的収束形状の持つ視覚的な曲線感が檀家や看者に対し、独特の美観、柔らかさ、温もり感を与える効果も奏される。
【図面の簡単な説明】
【００１７】
【図１】本発明の一実施形態に係る卒塔婆の概要を示す全体斜視図である。
【図２】図１の部分的拡大図である。
【図３】図２のア部の拡大図である。
【図４】図１におけるＸ−Ｘ断面図である。
【図５】本発明の一実施形態に係る卒塔婆の面取り部分の種々の形態を説明するための概念的断面図である。
【図６】本発明の一実施形態に係る卒塔婆の使用態様の一例を示す概念的斜視図である。
【図７】本発明に係る卒塔婆の模型を示す図である。
【図８】本発明に係る卒塔婆の模型の一部を示す図である。
【図９】本発明に係る卒塔婆の模型の一部を拡大して示す図である。
【発明を実施するための形態】
【００１８】
以下、図面を参照して本発明を実施するための形態について説明する。なお、以下では、本発明の目的を達成するための説明に必要な範囲を模式的に示し、本発明の該当部分の説明に必要な範囲を主に説明することとし、説明を省略する箇所については公知技術によるものとする。
【００１９】
図１は、本発明の一実施形態に係る卒塔婆の概要を示す全体斜視図であり、図２はその部分的拡大図、図３は図２のア部分の拡大図、図４は図１のＸ−Ｘ断面図である。これらの図に示されるように、本願の一実施形態に係る卒塔婆（「板塔婆」ともいう。以下同じ。）１０は面材１０１、１０２、１０３が積層されて形成されている。この場合は１０１及び１０３が表面層を形成し、１０２が中間層を形成する。以下は、あくまで本願技術思想の一態様として中間層が単層にて形成される場合を例にとって説明するが、中間層はこのように１層に限られる必要はなく、複数層によって構成されるものであってもよい。面材１０１、１０２、１０３は要所に接着材を用いて接着／圧着されている。卒塔婆の素材である木材は、特に無垢材（１枚材）としては、我が国のみでなく世界的にも、入手が困難になってきている事情に鑑み、複数材を積層させて用いることにするものである。ただし、表面材である１０１材及び１０３材はたとえば国内無垢材によることが好ましく、中間層の１０２材は比較的安価で環境を毀損することなしに大量に入手できる材、たとえば成長速度が速い材として輸入材等を用いることができる。なお、表面材１０１、１０３の表面には自然に形成された木目Ｍが走っており、これが独特の美観形成に役立っている。
【００２０】
卒塔婆は、頭部が、仏教上の概念である地輪・水輪・火輪・風輪・空輪を意味する五輪と呼ばれる装飾形状に形成され、下部先端部が、地中に差し込まれて自立に好適な形状であるＶ字状に形成されるのが通常である。この点で、図１等に示した卒塔婆はその平面形状において、上端側の積層表面１０Ａに対向配置される１０Ｅの遊端部が図１に示される形状に換えてたとえばＶ字形状、Ｕ字形状、Ｙ字形状等、何らかの突端形状をもった形状を採用してもよい。このようにすれば、かかる突端部分があることで没入の抵抗が減少して地中に差し込みやすくなるため、差し込むのに好適な形状である。また、卒塔婆の断面は、幅方向の断面形状が細長い方形状に形成されるのが通常である。また、長さは、３尺・４尺・５尺・６尺・７尺等、幅は２寸５分・３寸等０．５寸刻み、というのが伝統的に通常である。さらに、卒塔婆としては一般的な板状のである板卒塔婆と、柱状の形状である角卒塔婆とに大別されるのが通常である。本願では、特に板卒塔婆に限定せずに適用可能であるが、以下では板卒塔婆を本願が適用される対象の一例として取り上げて説明する。また、卒塔婆の表面には、たとえば「初七日  南無○○○○○為  □□□□□□塔」（○には種々の文言、□には戒名（俗名）が入り得る）等の文字を墨書きする。この点については本願の趣旨とは関係ないので、詳細について省略する。
【００２１】
図１に概略的に示されるように、卒塔婆１０は、面材１０１〜１０３が積層されて形成された積層表面１０Ａ〜１０Ｅのうち上端側である１０Ａの突端部にあって平面視ドーム形状を有する上端部１と、上端部１に連接される残りの板状の把持部２とを主要構成部（「本体部」ともいう。）として構成されている。この把持部２においては、その両側に、五輪塔形状を画するために設けられ平面視凸曲線切込と凸曲線切込とによりもしくは凸曲線切込と直線切込とによって形成される切込部２１Ｌ、２１Ｒ〜２４Ｌ、２４Ｒが設けられている。図示される例では、切込部２１Ｌ、２１Ｒは平面視凸曲線切込と直線切込とにより、切込部２２Ｌ、２２Ｒは平面視凸曲線切込と凸曲線切込とにより、切込部２３Ｌ、２３Ｒは平面視直線切込と凸曲線切込とにより、切込部２４Ｌ、２４Ｒは平面視凸曲線切込と直線切込とにより、それぞれ切欠きが形成されている。なお、この切欠きの平面形状についてはここに挙げたものは一例にすぎず、宗派等によってさまざまな形態があり得るが、本願はこれらすべての形状に対して適用されるものである。
【００２２】
さて、上述のような特殊な形状をなすべき卒塔婆を積層材を用いて制作するにあたっては、表面材の処理、表面材として採用される材の種類如何によっては、積層される表面層が断面的に露骨に現出してしまう場合がある。祖先や知人故人に対して敬意や思慕を体現する卒塔婆の持つ宗教的な意味合いからすれば、安価に済ませる気配を帯びること自体が好ましいこととは考えられない場合がある。したがって、積層によってなっていることを視認しにくい点を形状・構造的に担保するような工夫をする必要がある。本願はこうした点を本願発明者が着眼した結果、生まれたものである。具体的に、本願の一実施形態においては、断面において以下のような特徴的な工夫を加える。
【００２３】
まず、特徴点の一として、本体部の把持部２の両側所定位置（例えば把持部２の長手方向の直線部分）に亘って断面四隅に積層顕在化防止部１１Ａ、１３Ａ、１５Ａ、１７Ａ〜１１Ｅ、１３Ｅ、１５Ｅ、１７Ｅを設ける。積層顕在化防止部を実現する構造としては、たとえば、積層によって形成される出隅部を面取りするものを採用する。図３に示すように、表面１０Ａに形成された木目Ｍ、側面１２Ａに形成された木目Ｍが美観を形成するように顕在化される一方、積層顕在化防止部１１Ａ、１１Ｂ、…１１Ｅが設けられることにより、積層顕在化防止部１１Ａによって形成される斜面が光の屈折率を変更せしめることから、積層材の境目線１１Ａが１１Ａ、１１Ｂ、…１１Ｅ面上で相対的に目立たなくなる、という効果が奏される。この点は、卒塔婆が持つ上述した宗教的意味合いに鑑みると、重要な実務的効果といえる。
【００２４】
なお、副次的効果も奏することができる。すなわち、表面材の処理、表面材として採用される材の種類如何によっては、積層によって発生する出隅部によって、加工者もしくは筆記者がこれを把持した際に手に傷を生じてしまう場合があるが、宗教的な意味合いが強い卒塔婆に対して血で汚すことは好ましいことではないし、そもそも加工者、筆記者にとって作業に支障を生じたり傷を負うことは好ましくない。この点において、上記の積層顕在化防止部１１Ａ、１１Ｂ、…１１Ｅが設けられることにより、切り傷を発生させる原因となり得る突端的出隅部を面取るので、加工者及び／もしくは筆記者が手に傷を生じてしまう可能性を減じるとともに、作業性を向上させることができる。
【００２５】
また、積層顕在化防止部１１Ａ、１１Ｂ、…１１Ｅの面取りとしては、上述したものに限定されるものではない。たとえば図５（ａ）〜（ｆ）に示されるものを含め、各種の面取り断面が考えられるが、本発明においてはどのような形態であっても適用することができる。すなわち、同図において、（ａ）は二屈折線型、（ｂ）は凸曲線型、（ｃ）は一屈折線付曲線型、（ｄ）は多数屈折線付曲線型、（ｅ）は窪み付凸曲線型、（ｆ）は窪み付二屈折線型、の断面をそれぞれ示しているが、積層顕在化防止部１１Ａ、１１Ｂ、…１１Ｅの面取りとしてはこれらの少なくともいずれかを（単独でも、異なる種類の組合せでもよい）採用することが可能である。なお、積層顕在化防止部１１Ａ、１１Ｂ、…１１Ｅは上述した面取り構造に限られることはなく、たとえば、表層材の側面を予め積層の旨が視認しにくいような操作（たとえば側面の一部を切り落とし斜面を形成させる等）を加え、この操作が加えられた表層材を積層する、というようにしてもよい。いずれにしても、本願の技術思想に包含されるものである。
【００２６】
次に、特徴点の二として、積層顕在化防止部１１Ａ、１１Ｂ、…１１Ｅと切込部のうちの平面視凸曲線切込（すなわち、上記の例では、切込部２１Ｌ、２１Ｒについての平面視上部部分、切込部２２Ｌ、２２Ｒについての平面視上部及び下部部分、切込部２３Ｌ、２３Ｒについての平面視下部部分、切込部２４Ｌ、２４Ｒについての平面視上部部分）との取合部分に略三角形的収束形状ＴＲＡ、ＴＲＢ、ＴＲＣ、ＴＲＤ１、ＴＲＤ２を形成する。図３に示されるように、略三角形的収束形状ＴＲＡは積層顕在化防止部１１Ａによって形成される斜面が切込部２１Ｌの上部部分すなわち凸曲面と交わることで形成される略三角形的に収束する形状である。
【００２７】
略三角形的収束形状ＴＲＡ、ＴＲＢ、ＴＲＣ、ＴＲＤ１、ＴＲＤ２の形成にあたっては、積層顕在化防止部１１Ａ、１１Ｂ、…１１Ｅを設けた所に単に切込部を切削するだけで、或いは切込部を切削したところに積層顕在化防止部１１Ａ、１１Ｂ、…１１Ｅを設けるだけで、収束形状を形成することができる。つまり、略三角形的収束形状を形成することのみで終了してしまい、積層顕在化防止部を切り欠き部の周壁に沿って穿設する必要がなくなるから、加工コストを低減することが可能になる。
【００２８】
この略三角形的収束形状ＴＲＡ、ＴＲＢ、ＴＲＣ、ＴＲＤ１、ＴＲＤ２を設けたことにより、独特の「柔らかい」美観（これは先祖への思慕等を指標する形態として重要なものとなる）が醸造されるとともに、上記の積層材の境目線１１Ａが１１Ａ、１１Ｂ、…１１Ｅ面上で相対的に目立たなくなるという効果を一層引き立て、さらに、加工者及び／もしくは筆記者の作業性の向上に一層資するものとなる。
【００２９】
次に、本願に係る作用・動作について説明する。
【００３０】
図６は、本発明の作用・動作を説明するための概念的斜視図である。同図に示されるように、積層顕在化防止部１１Ａ、１１Ｂ、…１１Ｅが設けられることにより形成される斜面が光の屈折率を変更せしめるため、利用者にとっては、積層材の境目線１１Ａが１１Ａ、１１Ｂ、…１１Ｅ面上で相対的に目立たなくなる。
【００３１】
また、併せて、突端の鋭角形状によって使用者側への予期せぬ怪我の発生を減殺することができる。この点は卒塔婆が特に宗教的な物品であることから怪我による血痕の付着を忌避すべき要請がある点に鑑みれば、実用的な効果は重大なものがある。さらに、かかる把持容易化手段の存在により、たとえば複数の卒塔婆を一挙に扱う（通常はこの態様が多い）必要のある場合に、利用者が把持・運搬しやすく、使用上の利便性が向上する。
【００３２】
さらには、卒塔婆の表面には墨書きされるべき種々の文字の大きさから筆者が文字を書く際には卒塔婆をずらす作業を並行して進めることを余儀なくされるところ、本願によれば、把持容易化手段としての面取り・Ｒ部が形成されているためスムーズに卒塔婆を手摺動作で移動させることができ、これが筆記者に作業のしやすさを提供することになる。また、かかる筆記者や卒塔婆の利用者の服装の汚れを防止することにもつながる。
【００３３】
更にまた、面取りを設けることにより出現する小口は面取り部分以外の部分とは表面に形成される繊維方向・模様が異なるので、面取り部分に係る摩擦係数は面取り部分以外の部分に係る摩擦係数と異なるものになる。したがって、摩擦係数の異なる多面が形成されるため、利用者が把持するについて滑りにくさを提供することになる。これは作業性の向上につながる。この場合、更なる滑りにくさを担保すべく、面取り部分摩擦係数を更に増大させるような工夫を施しても良い。かかる工夫としては、たとえば、ざらつき感のある表面処理や摩擦係数の比較的高い塗装材の塗布などが採用できるが、これらに限られることはない。いずれにしても、本願に係る面取り部分を設けることで、摩擦係数の点からも滑りにくさを実現し、作業性を向上させることができる。
【００３４】
さらには、上記のような把持容易化手段としてのＲ部や面取りを採用した場合には、これらが持つ視覚的な曲線感が鋭角的・突端的な立体感を弱めるため、檀家や看者に柔らかさやいわゆる「温もり」といった印象を与えることができる。
【００３５】
なお、本願に係る技術思想は上述した形態に限定されることはなく、本思想の範囲内で、種々の変形、置換、代替、改良、拡大、縮小が可能である。たとえば、上記実施形態では、積層顕在化防止部としての面取りもしくはＲ付部を軸方向のほぼ全長に亘って設ける態様を例示したが、これに限定されるわけではなく、たとえば比較的目につきやすい上部箇所にのみ選択的に設けるようにしてもよい。
【産業上の利用可能性】
【００３６】
本発明に係る卒塔婆は、材料の入手困難性にも対応しつつ、積層である旨を視認しにくくすることから集積材からなる卒塔婆の利用可能性を広げるとともに、作業者／利用者（筆記者もしくは使用者）等の把持の際の切り傷の発生を減少せしめ、作業性を向上させるものであり、葬祭業において大きな利用可能性を有する。
【符号の説明】
【００３７】
１…上端部
２…把持部
１０…卒塔婆
１０Ａ〜１０Ｅ…積層表面
１１Ａ、１３Ａ、１５Ａ、１７Ａ〜１１Ｅ、１３Ｅ、１５Ｅ、１７Ｅ…積層顕在化防止部
２１Ｌ、２１Ｒ〜２４Ｌ、２４Ｒ…切込部
１０１、１０２、１０３…面材
ＴＲＡ、ＴＲＢ、ＴＲＣ、ＴＲＤ１、ＴＲＤ２…略三角形的収束形状
【図１】
2015231519.tif 000003
【図２】
2015231519.tif 000004
【図３】
2015231519.tif 000005
【図４】
2015231519.tif 000006
【図５】
2015231519.tif 000007
【図６】
2015231519.tif 000008
【図７】
2015231519.tif 000009
【図８】
2015231519.tif 000010
【図９】
2015231519.tif 000011